(57)【要約】【課題】  自動スクロール機能を具えたタッチパネル及びその制御方法の提供。【解決手段】  タッチパネルは第１エリアと第２エリアを具え、物品が第１エリアにあって移動する時、該タッチパネルが該物品の位置情報を送出し、該物品が第２エリアへと移動する時、該物品の第２エリアにあって停留が所定の参考時間を超過すると、該タッチパネルがスクロール信号を送出し、該物品の第２エリアにあっての停留が該参考時間より短ければ、該タッチパネルが該物品の位置情報を送出する。【選択図】        図４
2006350535.tif 000002
【特許請求の範囲】
【請求項１】
スマートタイプ自動スクロール機能を具えたタッチパネルの制御方法において、該タッチパネルは第１エリアと第２エリアを具え、該制御方法は、物品のタッチパネル上の位置を検出し、物品が第１エリアにあって移動する時、該タッチパネルが該物品の位置情報を送出し、該物品が第２エリアに移動した時、該物品の第２エリアにあって停留が所定の参考時間を超過すると、該タッチパネルがスクロール信号を送出し、該物品の第２エリアにあっての停留が該参考時間より短ければ、該タッチパネルが該物品の位置情報を送出することを特徴とする、スマートタイプ自動スクロール機能を具えたタッチパネルの制御方法。
【請求項２】
スマートタイプ自動スクロール機能を具えたタッチパネルにおいて、
第１エリアと、
該第２エリアと、
を包含し、物品が第１エリアにあって移動する時、該タッチパネルが該物品の位置情報を送出し、該物品が第２エリアに移動した時、該物品の第２エリアにあって停留が所定の参考時間を超過すると、該タッチパネルがスクロール信号を送出し、該物品の第２エリアにあっての停留が該参考時間より短ければ、該タッチパネルが該物品の位置情報を送出することを特徴とする、スマートタイプ自動スクロール機能を具えたタッチパネル。
【請求項３】
請求項２記載のスマートタイプ自動スクロール機能を具えたタッチパネルにおいて、第２エリアがタッチパネルの辺縁エリアを包含することを特徴とする、スマートタイプ自動スクロール機能を具えたタッチパネル。
【請求項４】
請求項２記載のスマートタイプ自動スクロール機能を具えたタッチパネルにおいて、第２エリアが第１エリアを包囲することを特徴とする、スマートタイプ自動スクロール機能を具えたタッチパネル。
【請求項５】
請求項２記載のスマートタイプ自動スクロール機能を具えたタッチパネルにおいて、位置情報が絶対座標とされたことを特徴とする、スマートタイプ自動スクロール機能を具えたタッチパネル。
【請求項６】
請求項２記載のスマートタイプ自動スクロール機能を具えたタッチパネルにおいて、位置情報が相対移動量とされたことを特徴とする、スマートタイプ自動スクロール機能を具えたタッチパネル。
【請求項７】
請求項２記載のスマートタイプ自動スクロール機能を具えたタッチパネルにおいて、スクロール信号がデジタル信号とされたことを特徴とする、スマートタイプ自動スクロール機能を具えたタッチパネル。
【請求項８】
請求項２記載のスマートタイプ自動スクロール機能を具えたタッチパネルにおいて、スクロール信号が位置情報とされたことを特徴とする、スマートタイプ自動スクロール機能を具えたタッチパネル。
【発明の詳細な説明】
【技術分野】
【０００１】
本発明は一種のタッチパネルに係り、特に、スマートタイプ自動スクロール機能を具えたタッチパネル及びその制御方法に関する。
【背景技術】
【０００２】
現在、タッチパネルはポータブルコンピュータ、ＰＤＡ、携帯電話或いはその他の電子システムを含む電子製品に広く応用されている。タッチパネルは使用者が手指或いは導電性物品（例えばタッチペン）をパネル上をスライドさせるかパネルに接触させて入力を行う装置であり、カーソルに相対移動或いは絶対座標移動を発生させ、また、その他の延伸性機能、例えばシミュレートキー機能を支援する。操作エリアにあって更に多様な機能を支援するため、エリア分けの概念があり、並びに使用者が必要とする機能を区別するための検出方法が必要とされる。
【０００３】
モニタとグラフィックカードの進歩に伴い、コンピュータシステムは高解析度のスクリーンメニュー、例えば１０２４×７６８ピクセルを支援可能となったが、タッチパネルのサイズには実際の制限があり、自身は高い解析度を提供せず、このため一種のスマートタイプ辺縁自動スクロール機能が提出されており、それは、使用者がスライドしてタッチパネルの辺縁エリアに至る時、カーソルに自動移動させることができる。図１に示されるように、タッチパネル１０は二つのエリア１２、１４に分けられ、エリア１４はエリア１２を包囲し、使用者の手指１６がエリア１２内を移動する時、タッチパネル１０は手指１６の位置情報を送出し、モニタ上のカーソル１８がこれに伴い移動し、手指１６が移動してエリア１４中に至ると、タッチパネル１０がスクロール信号を送出してカーソル１８をもとの移動方向に依り自動移動させる。辺縁自動スクロール機能の詳細な内容については、特許文献１を参照されたい。
【０００４】
しかし、このようなスマートタイプ辺縁自動スクロール機能は、使用者の手指がスライドして辺縁エリア１４に至る度に、スクロール信号を送出し、それは使用者が一般のカーソル移動を行いたいのか或いは辺縁自動スクロールを行いたいのかを判別できず、信号の誤送を形成する。例えば、使用者がカーソル１８を図２に示されるような軌跡で移動させたいが、手指１６が移動の期間に不注意からエリア１４に進入した場合でも、タッチパネル１０はスクロール信号を送出し、このためカーソル１８の移動軌跡は図３のように改変してしまう。
【０００５】
このため、使用者が必要としているのが、一般のカーソル機能であるのか自動スクロール機能であるのかを識別できるタッチパネルが求められている。
【０００６】
【特許文献１】米国特許第５，５４３，５９０号明細書
【発明の開示】
【発明が解決しようとする課題】
【０００７】
本発明の目的は、一種のスマートタイプ自動スクロール機能を具えたタッチパネル及びその制御方法を提供することにあり、それは、使用者が必要とするのが一般のカーソル機能であるのか、自動スクロール機能であるのかを識別できるタッチパネル及びその制御方法であるものとする。
【０００８】
上述の目的を達成するため、本発明のタッチパネルは第１エリアと第２エリアを具え、物品が第１エリアにあって移動する時、該タッチパネルが該物品の位置情報を送出し、該物品が第２エリアへと移動する時、該物品の第２エリアにあっての停留が所定の参考時間を超過すると、該タッチパネルがスクロール信号を送出し、該物品の第２エリアにあっての停留が該参考時間より短ければ、該タッチパネルが該物品の位置情報（絶対座標とすることも、相対移動量とすることも可能である）を送出する。スクロール信号は位置情報とされ得るほか、デジタル信号（接触エリア、例えば右側辺縁エリアを表示するのに用いられる）とされうる。
【課題を解決するための手段】
【０００９】
請求項１の発明は、スマートタイプ自動スクロール機能を具えたタッチパネルの制御方法において、該タッチパネルは第１エリアと第２エリアを具え、該制御方法は、物品のタッチパネル上の位置を検出し、物品が第１エリアにあって移動する時、該タッチパネルが該物品の位置情報を送出し、該物品が第２エリアに移動した時、該物品の第２エリアにあって停留が所定の参考時間を超過すると、該タッチパネルがスクロール信号を送出し、該物品の第２エリアにあっての停留が該参考時間より短ければ、該タッチパネルが該物品の位置情報を送出することを特徴とする、スマートタイプ自動スクロール機能を具えたタッチパネルの制御方法としている。
請求項２の発明は、スマートタイプ自動スクロール機能を具えたタッチパネルにおいて、
第１エリアと、
該第２エリアと、
を包含し、物品が第１エリアにあって移動する時、該タッチパネルが該物品の位置情報を送出し、該物品が第２エリアに移動した時、該物品の第２エリアにあって停留が所定の参考時間を超過すると、該タッチパネルがスクロール信号を送出し、該物品の第２エリアにあっての停留が該参考時間より短ければ、該タッチパネルが該物品の位置情報を送出することを特徴とする、スマートタイプ自動スクロール機能を具えたタッチパネルとしている。
請求項３の発明は、請求項２記載のスマートタイプ自動スクロール機能を具えたタッチパネルにおいて、第２エリアがタッチパネルの辺縁エリアを包含することを特徴とする、スマートタイプ自動スクロール機能を具えたタッチパネルとしている。
請求項４の発明は、請求項２記載のスマートタイプ自動スクロール機能を具えたタッチパネルにおいて、第２エリアが第１エリアを包囲することを特徴とする、スマートタイプ自動スクロール機能を具えたタッチパネルとしている。
請求項５の発明は、請求項２記載のスマートタイプ自動スクロール機能を具えたタッチパネルにおいて、位置情報が絶対座標とされたことを特徴とする、スマートタイプ自動スクロール機能を具えたタッチパネルとしている。
請求項６の発明は、請求項２記載のスマートタイプ自動スクロール機能を具えたタッチパネルにおいて、位置情報が相対移動量とされたことを特徴とする、スマートタイプ自動スクロール機能を具えたタッチパネルとしている。
請求項７の発明は、請求項２記載のスマートタイプ自動スクロール機能を具えたタッチパネルにおいて、スクロール信号がデジタル信号とされたことを特徴とする、スマートタイプ自動スクロール機能を具えたタッチパネルとしている。
請求項８の発明は、請求項２記載のスマートタイプ自動スクロール機能を具えたタッチパネルにおいて、スクロール信号が位置情報とされたことを特徴とする、スマートタイプ自動スクロール機能を具えたタッチパネルとしている。
【発明の効果】
【００１０】
本発明は一次元及び二次元タッチパネル上に応用され、手指或いはその他の導電性物品の、特定エリアにおける停留時間により、使用者が使用したい機能が自動スクロール機能であるか、或いは一般カーソル機能であるかを判断し、これにより多様性機能を達成するほか、使用者が誤った信号を送る情況を防止できる。
【発明を実施するための最良の形態】
【００１１】
図４は本発明のタッチパネルの操作フローチャートである。図１、２及び図４を参照されたい。使用者の手指１６がタッチパネル１０上を移動する時、タッチパネル１０はステップ２０の手指の位置検出を行い、続いて、検出した位置に基づき、ステップ２２で手指１６が辺縁エリア１４にあるか否かを判断し、辺縁エリア１４になければ、タッチパネル１０は位置情報を送出してカーソル１８をこれに伴い移動させ、辺縁エリア１４にあれば、ステップ２４で手指１６の辺縁エリア１４にあっての停留時間が所定の参考時間を超過したかを計算し、図１に示されるように、手指１６がエリア１４に進入し、並びに参考時間を超過して停留する時、タッチパネル１０はスクロール信号を送出してカーソル１８を先の移動方向に依り自動移動させ、図２に示されるように、もし手指１６がエリア１４に進入した後の停留時間が参考時間より短ければ、タッチパネル１０は位置情報を送出し、カーソル１８を手指１６の移動に伴い移動させる。そのうち、位置情報は絶対座標とすることも、相対移動量とすることもでき、スクロール信号は位置情報とすることも、デジタル信号とすることもできる。
【００１２】
その他の実施例にあっては、タッチパネルはその他の異なる空間関係のエリア区分定義を有し得る。
【００１３】
本発明は一次元及び二次元タッチパネル上に応用され、手指或いはその他の導電性物品の、特定エリアにおける停留時間により、使用者が使用したい機能が自動スクロール機能であるか、或いは一般カーソル機能であるかを判断し、これにより多様性機能を達成するほか、使用者が誤った信号を送る情況を防止できる。
【図面の簡単な説明】
【００１４】
【図１】手指のタッチパネル上での操作表示図である。
【図２】手指のタッチパネル上での操作表示図である。
【図３】手指のタッチパネル上での操作表示図である。
【図４】本発明のタッチパネルの操作フローチャートである。
【符号の説明】
【００１５】
１０  タッチパネル
１２  エリア
１４  エリア
１６  手指
１８  カーソル
２０  手指位置の検出
２２  手指が辺縁エリアにあるか
２４  所定時間を超過して停留しているか
【図１】
2006350535.tif 000003
【図２】
2006350535.tif 000004
【図３】
2006350535.tif 000005
【図４】
2006350535.tif 000006